(57)【特許請求の範囲】
【請求項１】
駆動モータと，前記駆動モータの駆動力を伝える歯車列と，前記歯車列と連結されて前記歯車列の回転運動を直線運動に変換するラックと，前記ラックと連結されて光記録媒体の情報を検出する光ピックアップユニットと，前記光ピックアップユニットを摺動自在に支持して案内する一または二以上のガイドレールとを備える光ピックアップ移送装置において：
前記ラックは，前記ラックを支持する前記ガイドレールのうち少なくとも一つが貫通挿入される挿入孔を有し；
前記ラックまたは前記光ピックアップユニットのいずれか一方には，前記ガイドレールの延伸方向とは異なる方向に延伸する突出部が形成され；
前記ラックまたは前記光ピックアップユニットのいずれか他方には，前記突出部を挿入可能な結合孔が形成され；
前記光ピックアップユニットと前記ラックとは，前記突出部と前記結合孔とを嵌合させることにより固定され，
前記挿入孔の断面形状を略四角形として前記ガイドレールと任意の断面において４点で接触させることにより，前記挿入孔と前記ガイドレールとの間の接触面積を減少させることを特徴とする，光ピックアップ移送装置。
【発明の詳細な説明】
【０００１】
【発明の属する技術分野】
本発明は、光ピックアップ移送装置にかかり、さらに詳細にはＣＤＰ（Compact Disk Player）またはＣＤ−ＲＯＭドライブ用の光ピックアップユニットを移送するための光ピックアップ移送装置に関する。
【０００２】
【従来の技術】
ＬＤＰ（Laser Disc Player）、ＣＤＰ（Compact Disc Player)、ＭＯＤＤ（Magnetic Optical Disc Driver）などに用いられる光ピックアップ装置は、光記録媒体に対して光ビームを走査し、その媒体から反射される光ビームを検出することにより、光記録媒体に書き込まれた情報を読み取るものである。
【０００３】
かかる光ピックアップ装置では、光記録媒体に書き込まれた情報を正確に読み取るために、光記録媒体に対して正確なフォーカシングおよびトラッキングを行わなければならないので、光ピックアップ装置を構成する部品は精密に動作することが要求される。
【０００４】
図６は、従来の光ピックアップ移送装置の一例を示す概略的な平面図であるが、同図面にあるように、光ピックアップ移送装置は、駆動源であるフィードモータ１１と、同フィードモータ１１に順次連結される第１〜第４歯車１２，１３，１４，１５とを含み、第４歯車１５は、ネジ１７により光ピックアップユニット１０の一側面に固定されるラック１６と連結され、光ピックアップユニット１０はデッキ（図示せず）に設けられた一対のガイドレール１８ａ，１８ｂの上に摺動自在に支持されている。
【０００５】
フィードモータ１１の高速回転運動は、第１〜第４歯車１２，１３，１４，１５により順次、低速回転運動に変換され、さらに低速回転運動はラック１６により往復直線運動に変換され、それによりラック１６に連結された光ピックアップユニット１０は光記録媒体（図示せず）の上でトラッキング動作を行う。
【０００６】
図７〜図９には、他の従来の光ピックアップ移送装置及びラックの概略図が示されている。図示のように、ラック２６は、光ピックアップユニット２０の一側面に結合される結合部２６ａと歯車２５と歯合する鋸の歯部２６ｂとを含み、またラック２６の結合部２６ａには貫通孔２７が形成されており、この貫通孔２７にピン２８が嵌合されることによって、ラック２６は、光ピックアップユニット２０に固定され、さらにピン２８の離脱を防止するためのワッシャ２９がピン２８に連結されている。
【０００７】
図６〜図９に示すような従来の光ピックアップ移送装置においては、フィードモータの回転運動を直線運動に変換するラックは、ネジ部材、またはピン部材により光ピックアップユニットに結合されているため、製品の組立工程時、ネジ部材やピン部材並びにワッシャを結合する工程と、ネジ部材やピン部材の離脱防止のために別途のボンディング作業を行う必要があるため、生産自動化が困難であり、したがって、生産性も劣化し、さらに、装置を修理するために接着ボンドを除去する場合には、他の部品が損なわれることもあり問題であった。
【０００８】
さらにラックの一側面のみがネジ部材またはピン部材により光ピックアップユニットに固定されており、また固定される部分はラック本体よりも小さいエリアなので、モータの駆動により光ピックアップユニットが移送される場合に、光ピックアップユニットの揺動が発生し、光ピックアップユニットを光記録媒体上の決められたトラックから逸脱が生じ、正確な情報のピックアップができずに、ピックアップの誤動作を招くおそれもあった。
【０００９】
【発明が解決しようとする課題】
本発明は、上記のような従来の光ピックアップユニット移送装置の問題点に鑑みてなされたものであり、組立性および生産性に優れ、安定した光ピックアップユニットの移送を保障することが可能な新規かつ改良された光ピックアップ移送装置を提供することをその目的としている。
【００１０】
【課題を解決するための手段】
上記課題を解決するために、本発明は、駆動モータ（４１）と、その駆動モータの駆動力を伝える歯車列（４２，４３，４５）と、歯車列（４２，４３，４５）と連結されて歯車列（４２，４３，４５）の回転運動を直線運動に変換するラック（４６）と、ラック（４６）と連結されて光記録媒体の情報を検出する光ピックアップユニット（５０）と、光ピックアップユニット（５０）を摺動自在に支持する一または二以上のガイドレール（５２，５３）とを備える光ピックアップ移送装置において、上記ラック（４６）は、ラック（４６）を支持するガイドレール（５２，５３）のうち少なくとも一つ（５２）が貫通挿入される挿入孔（４８）を有し、ラック（４６）または光ピックアップユニット（５０）のいずれか一方には、ガイドレール（５２，５３）の延伸方向とは異なる方向に延伸する突出部（４７）が形成され、ラック（４６）または光ピックアップユニット（５０）のいずれか他方には、突出部（４７）を挿入可能な結合孔（５１）が形成されていることを特徴としている。かかる構成によれば、ピン部材やネジ部材などを用いずに、光ピックアップユニット（５０）とラック（４６）とを容易に組み立てることが可能であり、また、揺動も生じにくい。
【００１１】
さらに，上記光ピックアップ装置において，挿入孔（４８）の断面形状を略四角形に構成することができる。例えば，ガイドレール（５２）が円形の断面を有する場合には，挿入孔（４８）の断面を矩形に構成することにより，図５に示すように，挿入孔（４８）の内面（４８ａ）とガイドレール（５２）の外面（５２ａ）とを，その任意の断面において，四点のみで接触させることが可能となり，接触面積を減じ，したがって，駆動モータ（４１）への負荷を減じることができる。
【００１２】
【発明の実施の形態】
以下に、添付図面を参照しながら、本発明にかかる光ピックアップ移送装置の好適な実施の形態について詳細に説明する。なお、図１は、本実施の形態にかかる光ピックアップ移送装置の概略的な平面図であり、図２は、光ピックアップ移送装置の概略的な側面図であり、図３は、光ピックアップ移送装置のラック部分の概略的な正面図であり、図４は、ラック部分の概略的な平面図であり、図４は、ラック部分の概略的な側面図である。
【００１３】
図１に示すように、本発明にかかる光ピックアップ移送装置は、駆動力を提供するフィードモータ４１と、そのフィードモータ４１に順次連結される第１〜第３歯車４２，４３，４５とを備えている。そして、第３歯車４５は、光ピックアップユニット５０を支持して移送するラック４６の一側（図１において紙面下側）に形成された結合部４６ｂの歯部に歯合するように構成されている。かかる構成により、フィードモータ４１の回転力は、第１〜第３歯車４２，４３，４５を順次介して、ラック４６の結合部４６ｂの歯部に伝達され、その際に、並進力に変換される。
【００１４】
また、ラック４６を挟むように、光ピックアップユニット５０の並進方向（トラッキング方向）に延伸する二本のガイドレール５２，５３が設けられており、ラック４６および光ピックアップユニット５０は、これらのガイドレール５２，５３に案内されて、並進動作、すなわちトラッキング動作を行う。またラック４６の結合部４６ｂが設けられた側には、図３および図４に示すように、ガイドレール５２が挿入される挿入孔４８が形成されている。この挿入孔４８の断面形状は、図５に示すように、略四角に形成されており、略円形の断面形状を有するガイドレール５２の外面５２ａに対して挿入孔４８の内面４８ａが任意の断面において点で接触するように構成されている。かかる構成によれば、挿入孔４８の内面４８ａとガイドレール５２の外面５２との接触面積を最小化することが可能であり、ラック４６がガイドレール５２上を摺動する際の摩擦力を最小化してフィードモータ４１に対する負荷を減じることが可能である。
【００１５】
なお、図示の例では、略円形の断面形状を有するガイドレール５２に対して最小の接触するように略四角の断面形状を有するように挿入孔４８を構成したが、本発明はかかる例に限定されず、ガイドレールと挿入孔の接触面積を最小化させるためのさまざまな形状を採用することが可能である。例えば、本実施の形態とは逆に、略四角の断面形状を有するガイドレールに対しては、略円形の断面形状を有するように挿入孔を構成してもよい。
【００１６】
このように、本実施の形態にかかる光ピックアップ移送装置では、ラック４６に形成された挿入孔４８に対してガイドレール５２が直接挿入されるので、ラック４６が安定的に支持され、動作時に揺動も生じにくく、さらにはラック４６に固定的に支持される光ピックアップユニット５０自体も安定的に支持されることなる。その結果、光ピックアップユニット５０によるトラッキング動作の精度および安定性も向上させることが可能となる。
【００１７】
さらに、本実施の形態にかかる光ピックアップ移送装置では、ラック４６の内側（光ピックアップユニット５０側）に張り出し部４６ａが形成されており、その張り出し部４６ａの中程には、図３〜図５に詳細に示すように、ラック４６の前方側（図１において紙面前方）に突出する突出部４７が形成されている。なお、ここで留意すべきは、突出部４７の突出方向をガイドレール５２の延伸方向、すなわちラック４６の摺動方向と異なるように構成することにより、光ピックアップユニット５０の揺動も効果的に防止することができる点である。
【００１８】
そして、本実施の形態にかかる光ピックアップ移送装置では、光ピックアップユニット５０の下方部にラック４６の突出部４７に対応する結合孔５１が形成されている。組立時には、光ピックアップユニット５０の結合孔５１にラック４６の突出部４７が挿入されることにより、従来の装置のように、ネジ部材やピン部材などを使用せずとも、光ピックアップユニット５０をラック４６に対して固定することができる。その際に、ラック４６の突出部４７の突出方向がガイドレール５２の延伸方向（すなわち、ラック４６の摺動方向）と異なるので、摺動動作時も安定的に支持され、したがって、正確なトラッキングが可能となり、誤動作も効果的に防止される。
【００１９】
以上、添付図面を参照しながら本発明にかかる光ピックアップ移送装置の実施の一形態について説明したが、本発明はかかる例に限定されない。当業者であれば、特許請求の範囲に記載された技術的思想の範疇内において各種の変更例や修正例に想到しうることは明らかであり、これらについても本発明の技術的範囲属するものと了解される。
【００２０】
例えば、図示の実施の形態においては、ラック４６側に突出部４７を設け、光ピックアップユニット５０側に結合孔５１を設ける構成としたが、本発明はかかる例に限定されない。上記例とは逆に、ラック４６側に結合孔を設け、光ピックアップユニット５０側に突出部を設けても、本実施の形態にかかる光ピックアップ移送装置と同様の効果を奏することが可能である。
【００２１】
また、上記実施の形態においては、ラック４６の一側に設けられたガイドレール５２をラック４６に形成された挿入孔４８に挿入する構成を示したが、本発明はかかる例に限定されない。かかる構成とは異なり、歯車列４２，４３，４５が設けられていない側に挿入孔をラック４６に形成し、その挿入孔に他方の側（図１において紙面上側）のガイドレール５３を挿入する構成を採用することも可能である。あるいは、ラック４６の両側に挿入孔を設け、左右二つのガイドレール５２，５３をそれらの挿入孔に挿入する構成を採用すれば、より安定的にラックを取り付けることが可能である。
【００２２】
【発明の効果】
以上説明したように、本発明によれば、フィードモータ（４１）の駆動によって、歯車（４５）と連結されたラック（４６）がガイドレール（５２）の上で運動する際に、ラック（４６）がガイドレール（５２）により直接支持されるため、ラック（４６）の揺動が発生せず、したがって、ラック（４６）と結合された光ピックアップユニット（５０）を安定的にトラッキングすることができる。
【００２３】
また従来の装置のように、ネジ部材やピン並びにワッシャなどを使用せずに、光ピックアップユニット（５０）に形成されている結合孔（５１）にラック（４６）の突出部（４７）を簡単に嵌合させることによって装置の組立ができるので、組立作業が容易となり、誤動作率を低下させることができ、さらにネジ部材やピン部材の離脱防止のためのボンディング作業が不要であるため、製品の組立時間を短縮することができ、装置を修理するためにボンドを取り除く必要もない。
【図面の簡単な説明】
【図１】本発明にかかる光ピックアップ移送装置の実施の一形態の概略を示す平面図である。
【図２】図１に示す光ピックアップ移送装置の概略的な側面図である。
【図３】図１に示す光ピックアップ移送装置のラック部分の概略的な正面図であり、ただし、挿入孔部分は点線で示している。
【図４】図１に示す光ピックアップ移送装置のラック部分の概略的な平面図であり、ただし、挿入孔部分は点線で示している。
【図５】図１に示す光ピックアップ移送装置のラック部分の概略的な側面図であり、ただしガイドレール部分は一部断裁して示している。
【図６】従来の光ピックアップ移送装置の一例の概略構成を示す平面図である。
【図７】従来の光ピックアップ移送装置のさらに別の例の概略構成を示す略平面図である。
【図８】図７に示す光ピックアップ移送装置のラック部分の略側面図である。
【図９】図７に示す光ピックアップ移送装置のラック部分の略平面図である。
【符号の説明】
５０        光ピックアップユニット
４１        フィードモータ
４２〜４５  歯車
４６        ラック
４６ａ      ラック結合部
４６ｂ      ラック歯部
５２、５３  ガイドレール
４７        突出部
４８        挿入孔
５１        結合孔
【図１】
0004420985.tif 000002
【図２】
0004420985.tif 000003
【図３】
0004420985.tif 000004
【図４】
0004420985.tif 000005
【図５】
0004420985.tif 000006
【図６】
0004420985.tif 000007
【図７】
0004420985.tif 000008
【図８】
0004420985.tif 000009
【図９】
0004420985.tif 000010